(57)【要約】  画像の色温度を精度良く調整することを可能とする撮影装置及びその制御方法を提供する。  撮像素子（３１）は、撮影レンズ（１８）を介して入射する光学像（６４）を撮像する。ファインダ装置（１７）は、光学像（６４）を観察可能に構成されている。ＥＶＦＬＣＤ（４２）は、ファインダ装置（１７）内において、光学像（６４）に情報を重畳又は近接させて観察可能に表示させる。ＥＶＦ表示制御部（３９）は、ＥＶＦＬＣＤ（４２）を制御して、情報として、色温度調整の目標とする色温度を表す目標色温度情報（６７）と、撮像画像の色温度を表す画像色温度情報（６６）とを表示させる。色温度調整部（７４）は、色温度の調整操作に基づき、撮像素子（３１）により光学像（６４）を撮像して得られた撮像画像の色温度を調整する。色温度の調整操作が行われると、調整操作量に応じて画像色温度情報（６６）が変更される。
2017086299.tif 000002
【特許請求の範囲】
【請求項１】
撮影レンズを介して入射する光学像に基づき画像を生成する撮像素子と、
前記光学像を観察可能に構成されたファインダ部と、
前記ファインダ部内において、前記光学像に情報を重畳又は近接させて観察可能に表示させるファインダ内情報表示部と、
色温度の調整操作に基づき、前記画像の色温度を調整する色温度調整部と、
前記ファインダ内情報表示部を制御して、前記情報として、前記色温度の調整の目標とする色温度を表す目標色温度情報と、前記画像の色温度を表す画像色温度情報とを表示させる表示制御部と、
を備える撮影装置。
【請求項２】
前記表示制御部は、前記色温度の調整操作が行われた場合に、前記色温度調整部により色温度が調整された後の前記画像の前記画像色温度情報を表示させる請求項１に記載の撮影装置。
【請求項３】
画像記憶部と、
前記画像記憶部に記憶されている記憶画像中に第１指定領域を指定する第１領域指定部と、
前記第１領域指定部により指定された前記第１指定領域の色温度を取得する第１色温度取得部と、
を備え、
前記目標色温度情報は、前記第１色温度取得部により取得された前記第１指定領域の色温度を表す請求項２に記載の撮影装置。
【請求項４】
前記記憶画像は、撮影により得られた画像である請求項３に記載の撮影装置。
【請求項５】
前記記憶画像は、異なる色温度の色が配列されたカラーチャートである請求項３に記載の撮影装置。
【請求項６】
前記第１指定領域は、前記カラーチャートに対して識別可能に表示される請求項５に記載の撮影装置。
【請求項７】
前記第１色温度取得部は、前記第１指定領域内の平均色を求め、求めた平均色に基づいて色温度を算出する請求項４から６のいずれか１項に記載の撮影装置。
【請求項８】
前記ファインダ部内で観察される前記光学像中に第２指定領域を指定する第２領域指定部と、
前記第２領域指定部により指定された前記第２指定領域に対応する前記画像の色温度を取得する第２色温度取得部と、
を備え、
前記画像色温度情報は、前記第２指定領域に対応する前記画像の色温度を表す請求項３から７のいずれか１項に記載の撮影装置。
【請求項９】
前記第２色温度取得部は、前記第２指定領域内の平均色を求め、求めた平均色に基づいて色温度を算出する請求項８に記載の撮影装置。
【請求項１０】
前記第１指定領域の色温度と前記第２指定領域の色温度との色温度差を算出する色温度差算出部を備え、
前記表示制御部は、前記情報として、前記目標色温度情報と前記画像色温度情報に加え、前記色温度差を表す色温度差情報を表示させる請求項８または９に記載の撮影装置。
【請求項１１】
前記表示制御部は、前記ファインダ内情報表示部を制御して、第１エリアと第２エリアとを互いに隣接して設定し、前記画像色温度情報によって表される色温度の色を前記第１エリアに表示させ、前記目標色温度情報によって表される色温度の色を前記第２エリアに表示させる請求項１から１０のいずれか１項に記載の撮影装置。
【請求項１２】
前記ファインダ部内において、前記光学像を部分的に遮光可能とする遮光部を有し、
前記ファインダ内情報表示部は、前記情報を、前記遮光部により部分的に遮光された部分に前記第１エリア及び前記第２エリアを設定する請求項１１に記載の撮影装置。
【請求項１３】
撮影レンズを介して入射する光学像に基づき画像を生成する撮像素子と、
前記光学像を観察可能に構成されたファインダ部と、
前記ファインダ部内において、前記光学像に情報を重畳又は近接させて観察可能に表示させるファインダ内情報表示部と、
色温度の調整操作に基づき、前記画像の色温度を調整する色温度調整部と、
を備える撮影装置の制御方法において、
前記ファインダ内情報表示部を制御して、前記情報として、前記色温度の調整の目標とする色温度を表す目標色温度情報と、前記画像の色温度を表す画像色温度情報とを表示させる撮影装置の制御方法。
【発明の詳細な説明】
【技術分野】
【０００１】
本発明は、ハイブリッドビューファインダを有する撮影装置及びその制御方法に関する。
【背景技術】
【０００２】
近年、ハイブリッドビューファインダを有するデジタルカメラなどの撮影装置が知られている（特許文献１，２参照）。ハイブリッドビューファインダは、被写体の光学像と、この光学像を撮像素子で撮像して得られた被写体の撮像画像とのうちの一方または両方をファインダ部内に表示可能とするものである。特に、ハイブリッドビューファインダでは、光学像に撮像画像を重畳又は近接させて表示させることを可能とする。このハイブリッドビューファインダにより、ユーザは、撮影により得られる画像を事前に確認しながら、光学像により被写体のフレーミングを行うことができる。【０００３】
デジタルカメラは、オートホワイトバランス（ＡＷＢ）調整機能を有しているものが多い。ＡＷＢ調整機能は、撮影時に光源の種類（太陽、蛍光灯、白熱電球など）を検出し、白い被写体が白く撮影されるように、画像の色味を表す色温度を自動調整する機能である。しかし、ＡＷＢ調整機能では、撮影シーンによっては、光源の種類を誤検出することなどにより、色温度の調整が不適切に行われることがある。例えば、森のように緑色が多く含まれている撮影シーンでは、光源の種類が「太陽」と検出されるべきところ、「蛍光灯」と誤検出されることがある。【０００４】
このような事情から、特許文献２に記載の撮影装置では、ハイブリッドビューファインダモードにおいて、ユーザが光学像と撮像画像との両者の色味を比較しながら、撮像画像の色温度の調整を手動で行うことが可能とされている。
【先行技術文献】
【特許文献】
【０００５】
【特許文献１】国際公開第２０１４／０１３７９６号
【特許文献２】特開２０１４−１１０６０７号公報
【発明の概要】
【発明が解決しようとする課題】
【０００６】
しかしながら、特許文献２に記載の撮影装置のように、ハイブリッドビューファインダモードにおいてユーザが光学像の色を目標として撮像画像の色温度の調整を行う場合には、目標とする光学像の色が実際の理想的な色から多少ずれていたとしても、ユーザは色がずれていることを認識できず理想的な色であると誤認識してしまうことがある。これは、我々人間が脳内で無意識のうちに色味の補正を行っていることによる。【０００７】
例えば白熱電球のように赤味がかった（色温度が低い）光源下では、白色の用紙はやや黄色味がかった色となるが、ユーザは理想的な白色であると誤認識することがある。このように、特許文献２に記載の撮影装置では、目標とする光学像の色が理想的な色からずれている場合においても、ユーザの誤認識により理想的な色からずれた色が目標とされて撮像画像の色温度の調整が行われる。この結果、撮像画像の色温度の調整が精度良く行われない。【０００８】
したがって、特許文献２に記載の撮影装置では、光学像を色温度の調整の目標とする結果、光源種などの差異により画像の色温度の調整が精度良く行われず、撮影により得られる画像の色味にばらつきが生じるという問題がある。これは、ＡＷＢ調整機能の有無にかかわらず生じる問題である。【０００９】
本発明は、画像の色温度を精度良く調整することを可能とする撮影装置及びその制御方法を提供することを目的とする。
【課題を解決するための手段】
【００１０】
上記目的を達成するため、本発明の撮影装置は、撮像素子と、ファインダ部と、ファインダ内情報表示部と、色温度調整部と、目標色温度情報と、表示制御部と、を備える。撮像素子は、撮影レンズを介して入射する光学像に基づき画像を生成する。ファインダ部は、光学像を観察可能に構成されている。ファインダ内情報表示部は、ファインダ部内において、光学像に情報を重畳又は近接させて観察可能に表示させる。色温度調整部は、色温度の調整操作に基づき、画像の色温度を調整する。目標色温度情報は、ファインダ内情報表示部を制御して、情報として、色温度の調整の目標とする色温度を表す。表示制御部は、画像の色温度を表す画像色温度情報とを表示させる。【００１１】
表示制御部は、色温度の調整操作が行われた場合に、色温度調整部により色温度が調整された後の画像の画像色温度情報を表示させることが好ましい。【００１２】
画像記憶部と、画像記憶部に記憶されている記憶画像中に第１指定領域を指定する第１領域指定部と、第１領域指定部により指定された第１指定領域の色温度を取得する第１色温度取得部と、を備え、目標色温度情報は、第１色温度取得部により取得された第１指定領域の色温度を表すことが好ましい。【００１３】
記憶画像は、撮影により得られた画像であることが好ましい。【００１４】
記憶画像は、異なる色温度の色が配列されたカラーチャートであっても良い。【００１５】
第１指定領域は、カラーチャートに対して識別可能に表示されることが好ましい。【００１６】
第１色温度取得部は、第１指定領域内の平均の色温度を算出することが好ましい。【００１７】
ファインダ部内で観察される光学像中に第２指定領域を指定する第２領域指定部と、第２領域指定部により指定された第２指定領域に対応する画像の色温度を取得する第２色温度取得部と、を備え、画像色温度情報は、第２指定領域に対応する画像の色温度を表すことが好ましい。【００１８】
第２色温度取得部は、第２指定領域内の平均の色温度を算出することが好ましい。【００１９】
第１指定領域の色温度と第２指定領域の色温度との色温度差を算出する色温度差算出部を備え、表示制御部は、情報として、目標色温度情報と画像色温度情報に加え、色温度差を表す色温度差情報を表示させることが好ましい。【００２０】
表示制御部は、ファインダ内情報表示部を制御して、第１エリアと第２エリアとを互いに隣接して設定し、画像色温度情報によって表される色温度の色を第１エリアに表示させ、目標色温度情報によって表される色温度の色を第２エリアに表示させることが好ましい。【００２１】
ファインダ部内において、光学像を部分的に遮光可能とする遮光部を有し、ファインダ内情報表示部は、情報を、遮光部により部分的に遮光された部分に第１エリア及び第２エリアを設定することが好ましい。【００２２】
本発明の撮影装置の制御方法は、撮影レンズを介して入射する光学像に基づき画像を生成する撮像素子と、光学像を観察可能に構成されたファインダ部と、ファインダ部内において、光学像に情報を重畳又は近接させて観察可能に表示させるファインダ内情報表示部と、色温度の調整操作に基づき、画像の色温度を調整する色温度調整部と、を備える撮影装置の制御方法において、ファインダ内情報表示部を制御して、情報として、色温度の調整の目標とする色温度を表す目標色温度情報と、画像の色温度を表す画像色温度情報とを表示させる。
【発明の効果】
【００２３】
本発明の撮影装置及びその制御方法によれば、色温度の調整の目標とする色温度を表す目標色温度情報と、画像の色温度を表す画像色温度情報とを、光学像に重畳又は近接させて観察可能に表示させるので、画像の色温度を精度良く調整することができる。
【図面の簡単な説明】
【００２４】
【図１】デジタルカメラの正面図である。
【図２】デジタルカメラの背面側斜視図である。
【図３】デジタルカメラの電気的構成を示すブロック図である。
【図４】色温度調整モード時におけるＥＶＦＬＣＤの表示エリアを示す図である。
【図５】色温度調整モード時におけるファインダ観察画像を示す図である。
【図６】目標色温度情報設定モードを説明するフローチャートである。
【図７】過去画像中に指定される第１指定領域について説明する図である。
【図８】目標色温度記憶部に記憶された目標色温度について説明する図である。
【図９】色温度調整モードを説明するフローチャートである。
【図１０】ファインダ観察画像中に指定される第２指定領域について説明する図である。
【図１１】目標色温度の取得方法について説明する図である。
【図１２】カラーチャートを示す図である。
【図１３】第１領域指定部により自動で指定される第１指定領域について説明する図である。
【図１４】第２領域指定部により自動で指定される第２指定領域について説明する図である。
【図１５】画像色温度情報と目標色温度情報の表示形態の第１の変形例を示す図である。
【図１６】画像色温度情報と目標色温度情報の表示形態の第２の変形例を示す図である。
【図１７】画像色温度情報と目標色温度情報の表示位置の第１の変形例を示す図である。
【図１８】画像色温度情報と目標色温度情報の表示位置の第２の変形例を示す図である。
【発明を実施するための形態】
【００２５】
［第１実施形態］
図１及び図２において、撮影装置としてのデジタルカメラ１１は、カメラ本体１２、レンズ鏡筒１３、上面操作部１４、背面表示部１５、背面操作部１６、及びファインダ装置（ファインダ部）１７を備える。
【００２６】
ファインダ装置１７は、光学ビューファインダ（ＯＶＦ；Optical View Finder）モード（以下、ＯＶＦモードという）と、電子ビューファインダ（ＥＶＦ；Electronic View Finder）モード（以下、ＥＶＦモードという）と、ハイブリッドビューファインダ（ＨＶＦ；Hybrid View Finder）モード（以下、ＨＶＦモードという）との間でのモード切り替えが可能である。
【００２７】
ＯＶＦモードでは、被写体の光学像と、撮影条件などの電子情報を表す情報画像とが重ね合わせられたＯＶＦ画像を観察可能とする。ＥＶＦモードでは、光学像を撮像して得た撮像画像及び情報画像を観察可能とする。ＨＶＦモードは、光学像と撮像画像の両方を観察可能とする。
【００２８】
ＯＶＦモードには、撮像画像の色温度をユーザが手動で調整可能とする色温度調整モードが含まれる。この色温度調整モードでは、電子情報として、撮像画像の色温度を表す画像色温度情報と、色温度の調整の目標とする色温度を表す目標色温度情報とが表示される。
【００２９】
また、デジタルカメラ１１には、ユーザが目標色温度情報を設定するための目標色温度情報設定モードが設けられている。目標色温度情報設定モードは、ユーザが撮影により得たい撮影画像の理想の基準色を撮影前に事前に登録するモードである。色温度調整モードや目標色温度情報設定モードへの切り替えは、上面操作部１４の操作により行われ、後述する主制御部３２により実行される。
【００３０】
レンズ鏡筒１３は、カメラ本体１２の前面に設けられており、撮影レンズ１８を保持している。レンズ鏡筒１３には、コントロールリング１３ａが設けられている。コントロールリング１３ａは、レンズ鏡筒１３に対して、撮影レンズ１８の光軸を中心として回転可能に取り付けられている。コントロールリング１３ａは、設定の切り替えなど各種操作に用いられ、色温度調整モードではユーザによる色温度調整操作に用いられる。
【００３１】
コントロールリング１３ａの回転量は、色温度の調整操作量（色温度のシフト量）に対応している。後述する主制御部３２は、コントロールリング１３ａの回転位置を、位置センサ（図示せず）を介して検出し、基準位置からの回転量を求める。後述する色温度調整部７４は、主制御部３２により求められた回転量に対応する色温度のシフト量を求める。
【００３２】
上面操作部１４は、カメラ本体１２の上面に設けられており、電源ボタン１４ａ、レリーズボタン１４ｂ、モード切替ダイヤル１４ｃ、ファインダ切替レバー１４ｄなどを含む。電源ボタン１４ａは、デジタルカメラ１１の電源（図示せず）をオンまたはオフする際に操作される。レリーズボタン１４ｂは、撮影を実行する際に操作される。モード切替ダイヤル１４ｃは、撮影モード、画像再生モード、設定モードなどの間で動作モードを切り替える際に操作される。モード切替ダイヤル１４ｃは、前述の色温度調整モードおよび目標色温度情報設定モードの設定操作にも用いられる。ファインダ切替レバー１４ｄは、ファインダ装置１７のモードを、ＯＶＦモードとＥＶＦモードとＨＶＦモードとの間でファインダのモードを切り替える際に操作される。
【００３３】
撮影モードには、静止画像を取得する静止画撮影モードと、動画像を取得する動画撮影モードとがある。画像再生モードでは、静止画撮影モードまたは動画撮影モードで取得された画像が、背面表示部１５に再生表示される。
【００３４】
レリーズボタン１４ｂは、Ｓ１スイッチとＳ２スイッチとで構成された２段ストローク式のスイッチ（図示せず）を有する。デジタルカメラ１１は、レリーズボタン１４ｂが押下（半押し）され、Ｓ１スイッチがオン状態となると、オートフォーカス（ＡＦ）動作などの撮影準備動作を行う。この状態からさらにレリーズボタン１４ｂが押下（全押し）され、Ｓ２スイッチがオン状態となると、デジタルカメラ１１は撮影動作を行う。
【００３５】
背面表示部１５は、カメラ本体１２の背面に設けられており、各種撮影モードで取得された撮影画像や、各種設定を行うためのメニュー画面などを表示する。なお、背面表示部１５は、ＬＣＤ（Liquid Crystal Display）などの表示装置とタッチパッドなどの入力装置を組み合わせたタッチスクリーンであってもよい。この場合、タッチスクリーンに対するタッチ操作により各種設定を行うことができる。
【００３６】
背面操作部１６は、カメラ本体１２の背面に設けられている。背面操作部１６は、各種設定操作の他に、目標色温度情報設定モードにおいてユーザが目標色温度情報を設定する際に用いられる。
【００３７】
ファインダ装置１７は、被写体の光学像を取り込むファインダ窓１７ａと、ユーザの眼が接眼されるファインダ接眼部１７ｂとを有している。ファインダ窓１７ａは、カメラ本体１２の前面側に設けられている。ファインダ接眼部１７ｂは、カメラ本体１２の背面側に設けられている。
【００３８】
また、カメラ本体１２の底部には、後述する記録メディア４１（図３参照）を装着するためのスロット（図示せず）が設けられている。
【００３９】
図３において、レンズ鏡筒１３内には、絞り３０と撮像素子３１とが撮影レンズ１８の光軸ＬＡに沿って設けられている。絞り３０は、主制御部３２によって駆動制御され、撮像素子３１に入射させる光量を調整する。撮像素子３１には、撮影レンズ１８を通過し、絞り３０により光量が調整された被写体の光学像が入射する。なお、撮像素子３１は、レンズ鏡筒１３外に配置されていても良い。
【００４０】
撮影レンズ１８は、ズームレンズ１８ａ及びフォーカスレンズ１８ｂを含む。撮影レンズ１８には、レンズ駆動部２４が接続されている。レンズ駆動部２４は、主制御部３２の制御の下、ズームレンズ１８ａ及びフォーカスレンズ１８ｂを光軸方向に移動させる。ズームレンズ１８ａの駆動によりズーミングが行われ、フォーカスレンズ１８ｂの駆動によりＡＦ動作が行われる。
【００４１】
撮像素子３１は、例えば、ＲＧＢ方式のカラーフィルタを有する単板カラー撮像方式のＣＭＯＳ（Complementary Metal Oxide Semiconductor）型イメージセンサである。撮像素子３１は、２次元マトリクス状に配列された複数の画素（図示せず）により構成された受光面を有している。各画素は、光電変換素子を含んでおり、受光面に結像された光学像を光電変換により撮像して撮像信号を生成する。また、撮像素子３１は、電子シャッタ機能を有しており、シャッタ速度（電荷蓄積時間）が調整可能である。
【００４２】
撮像素子３１は、信号処理回路を備えている。信号処理回路としては、ノイズ除去回路、オートゲインコントローラ、Ａ／Ｄ（Analog/Digital）変換回路などがある（いずれも図示せず）。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３１から出力する。撮像素子３１の出力信号は、画素ごとに１つの色信号を有するＲＧＢ形式の画像データ（いわゆるＲＡＷデータ）である。
【００４３】
撮像素子３１及び主制御部３２は、バス３３に接続されている。この他、バス３３には、メモリ制御部３４、デジタル信号処理部３５、目標色温度設定処理部３６ａ、色温度調整処理部３６ｂ、メディア制御部３７、背面表示制御部３８、及びＥＶＦ表示制御部（表示制御部）３９が接続されている。
【００４４】
メモリ制御部３４には、ＳＤＲＡＭ（Synchronous Dynamic Random Access Memory）などの一時記憶用のメモリ４０が接続されている。メモリ制御部３４は、撮像素子３１から出力されたＲＧＢ形式の画像データをメモリ４０に入力して記憶させる。また、メモリ制御部３４は、メモリ４０に記憶されたＲＧＢ形式の画像データを、デジタル信号処理部３５に出力する。
【００４５】
デジタル信号処理部３５は、メモリ制御部３４から入力されたＲＧＢ形式の画像データに対して、欠陥補正処理、デモザイク処理、ガンマ補正処理、ＲＧＢゲイン補正処理、ＹＣ変換処理などを行い、輝度信号Ｙと色差信号ＣとからなるＹＣ形式の画像データ（ＹＣ画像データ）を生成する。デジタル信号処理部３５は、生成したＹＣ形式の画像データを、メモリ制御部３４に出力することで、メモリ４０に記憶させる。
【００４６】
また、デジタル信号処理部３５は、ＹＣ画像データに対し、各種撮影モードに応じた圧縮処理を施すことで画像ファイルを生成する。具体的には、デジタル信号処理部３５は、静止画撮影モードの場合には、ＹＣ画像データを、例えばＪＰＥＧ（Joint Photographic Experts Group）規格などで圧縮して圧縮画像データを生成する。デジタル信号処理部３５は、動画撮影モードの場合には、動画撮影により得られる複数フレームのＹＣ画像データを、例えばＭＰＥＧ（Moving Picture Experts Group）−４規格などで圧縮した動画データを生成する。デジタル信号処理部３５は、生成した画像ファイルをメディア制御部３７に出力する。
【００４７】
メディア制御部３７は、画像記憶部としての記録メディア４１への画像ファイルの記録及び読み出しを制御する。記録メディア４１は、例えば、フラッシュメモリなどを内蔵したメモリカードである。静止画撮影モードの場合には、デジタル信号処理部３５により生成された圧縮画像データが記録メディア４１に記録される。また、動画撮影モードの場合には、デジタル信号処理部３５により生成された動画データが記録メディア４１に記録される。なお、動画撮影モードの場合には、画像に加えて音声も取得して記録されるが、本実施形態では、音声の取得及び記録に関する構成については、説明を省略する。
【００４８】
目標色温度設定処理部３６ａは、第１色温度取得部７１と目標色温度記憶部７２とを有する。色温度調整処理部３６ｂは、第２色温度取得部７３と色温度調整部７４とを有する。目標色温度設定処理部３６ａは、目標色温度情報設定モードにおいて作動し、ユーザによる目標色温度の設定を可能とする。色温度調整処理部３６ｂは、色温度調整モードにおいて作動し、撮像画像の色温度の取得と、ユーザの操作に応じた撮像画像の色温度の調整を可能とする。
【００４９】
背面表示制御部３８は、背面表示部１５への画像表示を制御する。具体的には、背面表示制御部３８は、デジタル信号処理部３５により生成されたＹＣ画像データに基づいて、ＮＴＳＣ（National Television System Committee）規格などに準拠した映像信号を生成して背面表示部１５に出力する。
【００５０】
ＥＶＦ表示制御部３９は、背面表示制御部３８と同様にＹＣ画像データに基づいて映像信号を生成し、後述するＥＶＦＬＣＤ４２に出力する。
【００５１】
ファインダ装置１７には、ファインダ内情報表示部としてのＥＶＦＬＣＤ４２と、プリズム４３と、遮光部としてのＯＶＦシャッタ４４とが設けられている。
【００５２】
ＥＶＦＬＣＤ４２は、各種撮影モードで取得された各種画像を表示する。ＥＶＦＬＣＤ４２には、ファインダのモードに応じて画像を表示するエリアが設定される。
【００５３】
ＥＶＦモードでは、ＥＶＦＬＣＤ４２には、被写体の光学像を撮像素子３１により撮像して得た撮像画像が表示される画像表示エリア（図示せず）と、情報画像が表示される情報表示エリア（図示せず）とが設定される。情報表示エリアは、画像表示エリアの周囲、例えば下側に設定される。撮像画像は、デジタル信号処理部３５により生成されるＹＣ画像データの表示画像である。情報画像は、主制御部３２により生成される情報画像データの表示画像である。情報画像データは、撮影条件などの撮影情報に基づいて生成される。撮影条件には、シャッタ速度、絞り値、ＩＳＯ感度などが含まれる。撮影条件は、例えば上面操作部１４の操作によって設定可能である。
【００５４】
ＯＶＦモードでは、ＥＶＦＬＣＤ４２には、情報表示エリアが設定される。情報表示エリアは、ＥＶＦモードと同様に、例えば下側に設定される。なお、ＯＶＦモードでは、ＥＶＦモードにおける画像表示エリアは非表示とされる。
【００５５】
ＨＶＦモードでは、ＥＶＦＬＣＤ４２には、情報表示エリアに加えて、撮像画像が表示されるサブ表示エリア（図示せず）が設定される。サブ表示エリアは、例えば、画面右下に情報表示エリアと隣接して設定される。なお、ＨＶＦモードでは、ＥＶＦモードにおける画像表示エリアは非表示とされる。
【００５６】
ＯＶＦモードの一種である色温度調整モードでは、図４に示すように、ＥＶＦＬＣＤ４２には、情報表示エリア６１と、画像色温度情報表示エリア（第１エリア）６２と、目標色温度情報表示エリア（第２エリア）６３とが設定される。なお、その他のエリア（ＥＶＦモードにおける画像表示エリア）は、非表示とされる。情報表示エリア６１中の「１／２０００」はシャッタ速度、「ＩＳＯ２００」はＩＳＯ感度、「Ｆ５．６」は絞り値の表示例である。
【００５７】
画像色温度情報表示エリア６２には、撮像画像の色温度を表す画像色温度情報が表示される。本実施形態では、画像色温度情報表示エリア６２には、画像色温度情報として、撮像画像の色温度に対応した単一色の画像が表示される。目標色温度情報表示エリア６３には、色温度の調整の目標とする色温度を表す目標色温度情報が表示される。本実施形態では、目標色温度情報表示エリア６３には、目標色温度情報として、目標色温度に対応した単一色の画像が表示される。画像色温度情報表示エリア６２と目標色温度情報表示エリア６３とは、互いに隣接して設定されている。例えば、画像色温度情報表示エリア６２及び目標色温度情報表示エリア６３は、画面右下に情報表示エリア６１と隣接して設定されている。
【００５８】
図３において、プリズム４３は、光路統合部としてのハーフミラー４８が内部に構成されている。ハーフミラー４８は、ファインダ窓１７ａに入射した被写体の光学像が伝搬する第１光路４９と、ＥＶＦＬＣＤ４２に表示された表示画像が伝搬する第２光路５０とに対して４５度の角度をなすように配置されている。このハーフミラー４８は、第１光路４９と第２光路５０とを統合して第３光路５１とする。この第３光路５１上にファインダ接眼部１７ｂが配置されている。
【００５９】
ハーフミラー４８は、第１光路４９上を伝搬する光学像を一部透過させて第３光路５１に導き、第２光路５０上を伝搬する表示画像を一部反射させて第３光路５１に導く。これにより、光学像及び表示画像がファインダ接眼部１７ｂに導かれる。
【００６０】
ＯＶＦシャッタ４４は、液晶シャッタであり、第１光路４９上に配置されている。ＯＶＦシャッタ４４の光透過率は、主制御部３２により低透過率（例えば、０％）又は高透過率（例えば、１００％）に制御される。ＯＶＦシャッタ４４は、光透過率が低透過率とされたエリアでは光学像を遮光してプリズム４３に入射させないようにし、光透過率が高透過率とされたエリアでは光学像を透過させてプリズム４３に入射させる。主制御部３２は、ＥＶＦＬＣＤ４２の各表示エリアを把握しており、ファインダのモードに応じて全部又は部分的にＯＶＦシャッタ４４の光透過率を変更させる。
【００６１】
ＥＶＦモードの場合には、主制御部３２は、ＯＶＦシャッタ４４を制御して、ＥＶＦＬＣＤ４２の画像表示エリアと情報表示エリアに対応するエリアを低透過率とする。この場合、ＯＶＦシャッタ４４の全部が低透過率となる。低透過率とされたＯＶＦシャッタ４４は、光学像を遮光する。ＥＶＦＬＣＤ４２の画像表示エリアには撮像画像が表示され、情報表示エリアには情報画像が表示される。これにより、ＥＶＦモードでは、撮像画像及び情報画像がファインダ接眼部１７ｂから観察可能となる。
【００６２】
ＯＶＦモードの場合には、主制御部３２は、ＯＶＦシャッタ４４を制御して、ＥＶＦＬＣＤ４２の画像表示エリアに対応するエリアを高透過率とし、情報表示エリアに対応するエリアを低透過率とする。ＯＶＦシャッタ４４は、画像表示エリアに対応するエリアでは光学像を透過させ、情報表示エリアに対応するエリアでは光学像を非透過とする。ＥＶＦＬＣＤ４２の画像表示エリアは非表示とされ、情報表示エリアには情報画像が表示される。これにより、ＯＶＦモードでは、ＥＶＦＬＣＤ４２に表示された情報画像が光学像に重畳されてなるＯＶＦ画像が、ファインダ接眼部１７ｂから観察可能となる。
【００６３】
ＨＶＦモードの場合には、主制御部３２は、ＯＶＦシャッタ４４を制御して、ＥＶＦＬＣＤ４２の画像表示エリアに対応するエリアを高透過率とし、情報表示エリアとサブ表示エリアに対応するエリアを低透過率とする。ＯＶＦシャッタ４４は、画像表示エリアに対応するエリアでは光学像を透過させ、情報表示エリアとサブ表示エリアに対応するエリアでは光学像を非透過とする。ＥＶＦＬＣＤ４２の画像表示エリアは非表示とされ、サブ表示エリアには撮像画像が表示され、情報表示エリアには情報画像が表示される。これにより、ＨＶＦモードでは、光学像に撮像画像及び情報画像が重畳されたＨＶＦ画像がファインダ接眼部１７ｂから観察可能となる。
【００６４】
色温度調整モードの場合には、主制御部３２は、ＯＶＦシャッタ４４を制御して、ＥＶＦＬＣＤ４２の画像表示エリアに対応するエリアを高透過率とし、情報表示エリア６１、画像色温度情報表示エリア６２、及び目標色温度情報表示エリア６３に対応するエリアを低透過率とする。ＯＶＦシャッタ４４は、画像表示エリアに対応するエリアでは光学像を透過させ、情報表示エリア６１、画像色温度情報表示エリア６２、及び目標色温度情報表示エリア６３に対応するエリアでは光学像を非透過とする。
【００６５】
ＥＶＦＬＣＤ４２の画像表示エリアは非表示とされ、情報表示エリア６１には情報画像が表示され、画像色温度情報表示エリア６２には画像色温度情報が表示され、目標色温度情報表示エリア６３には目標色温度情報が表示される。これにより、色温度調整モードでは、図５に示すように、光学像６４に、情報画像６５と画像色温度情報６６と目標色温度情報６７とが重畳されたファインダ観察画像６８が、ファインダ接眼部１７ｂから観察可能となる。重畳とは、光学像６４を一部遮光させ、遮光させた部分に画像や情報を表示させることである。
【００６６】
次に、目標色温度設定処理部３６ａの詳細について説明する。第１色温度取得部７１は、色温度情報設定モード時に、色温度調整の目標とする色温度を表す目標色温度を取得する。具体的には、色温度情報設定モードでは、主制御部３２の制御により、画像記憶部としての記録メディア４１に記憶されている過去画像（記憶画像）がＥＶＦＬＣＤ４２に表示される。１つの過去画像中には、第１指定領域が指定される。第１色温度取得部７１は、過去画像中の第１指定領域の色温度を求め、求めた色温度を目標色温度として取得する。なお、過去画像は、撮影により得られた画像であり、記録メディア４１に限られず、内部メモリであるメモリ４０に記憶されていても良い。
【００６７】
さらに具体的には、主制御部３２は、第１領域指定部７６を有しており、ユーザによる背面操作部１６の操作に基づき、１つの過去画像中に第１指定領域を指定可能とする。第１色温度取得部７１は、例えば、第１指定領域の平均色を求め、求めた平均色の色温度を目標色温度として取得する。平均色は、第１指定領域中のＲ信号、Ｇ信号、Ｂ信号の各平均値の比率に対応する。なお、第１領域指定部７６により第１指定領域の指定を複数回行うことが可能とされている。第１色温度取得部７１は、第１指定領域の指定が行われる毎に目標色温度を取得する。
【００６８】
目標色温度記憶部７２は、第１色温度取得部７１により取得された目標色温度を記憶する。なお、第１色温度取得部７１により複数の目標色温度が取得された場合には、目標色温度記憶部７２は、取得された複数の目標色温度を記憶する。
【００６９】
次に、色温度調整処理部３６ｂの詳細について説明する。第２色温度取得部７３は、色温度調整モード時に、撮像画像の色温度を表す画像色温度を取得する。具体的には、色温度調整モードでは、光学像の表示エリア中に第２指定領域が指定される。第２色温度取得部７３は、撮像画像中において第２指定領域に対応する領域の色温度を求め、求めた色温度を画像色温度として取得する。
【００７０】
さらに具体的には、主制御部３２は第２領域指定部７７を有しており、ユーザによる背面操作部１６の操作に基づき、光学像中に第２指定領域を指定可能とする。第２色温度取得部７３は、デジタル信号処理部３５が生成したＹＣ画像データ中において第２指定領域に対応する領域の例えば平均色を求め、求めた平均色の色温度を画像色温度として取得する。第２色温度取得部７３は、取得した画像色温度に基づく画像色温度情報を主制御部３２に出力する。なお、第２色温度取得部７３による色温度の算出方法は、第１色温度取得部７１による前述の方法と同様である。
【００７１】
主制御部３２は、第２色温度取得部７３から画像色温度情報が入力されると、ＥＶＦ表示制御部３９を制御して、ＥＶＦＬＣＤ４２の画像色温度情報表示エリア６２に画像色温度情報を表示させる。
【００７２】
また、主制御部３２は、第２色温度取得部７３から入力された画像色温度情報に基づき、目標色温度記憶部７２から目標色温度を取得する。具体的には、主制御部３２は、目標色温度記憶部７２に記憶されている複数の目標色温度のうち、第２色温度取得部７３から入力された画像色温度に近い目標色温度を選択して取得する。そして、主制御部３２は、ＥＶＦ表示制御部３９を制御して、ＥＶＦＬＣＤ４２の目標色温度情報表示エリア６３に目標色温度に基づく目標色温度情報を表示させる。
【００７３】
色温度調整部７４は、色温度の調整操作に基づき、デジタル信号処理部３５により生成される撮像画像の色温度を調整する。具体的には、色温度調整部７４は、主制御部３２により検出されるコントロールリング１３ａの回転量に基づき、色温度の調整量（シフト量）を求める。色温度調整部７４は、求めた色温度のシフト量をデジタル信号処理部３５に出力することで、撮像画像に対し、シフト量に応じた色温度調整を実行させる。デジタル信号処理部３５は、ＲＧＢゲイン補正処理時に、色温度調整部７４から入力されたシフト量に基づいて、Ｒ信号、Ｇ信号、Ｂ信号に対する各ゲイン量を変更する。これにより、デジタル信号処理部３５により生成される撮像画像の色温度が、ユーザが意図するシフト量に対応して調整される。主制御部３２は、ＥＶＦ表示制御部３９を制御して、色温度が調整された後の撮像画像から得られた画像色温度情報を、画像色温度情報表示エリア６２に表示させる。
【００７４】
次に、目標色温度情報設定モードについて、図６〜図８を参照しながら説明する。目標色温度情報設定モードに入ると、主制御部３２は、ユーザによる背面操作部１６の操作に基づき、記録メディア４１に記憶されている過去画像をＥＶＦＬＣＤ４２に表示させる（Ｓ１１）。なお、記録メディア４１に複数の過去画像が記憶されている場合は、主制御部３２は、複数の過去画像をＥＶＦＬＣＤ４２に表示させ、ユーザによる背面操作部１６の操作に基づき選択された１つの過去画像を表示させる。ＥＶＦＬＣＤ４２に複数の過去画像を表示させる表示形式は、サムネイルのような一覧表示としても良いし、ユーザによる背面操作部１６の入力操作に基づき画像を１つずつ切り替える表示形式としても良い。
【００７５】
第１領域指定部７６は、ユーザによる背面操作部１６の操作に基づき、ＥＶＦＬＣＤ４２に表示された１つの過去画像中に第１指定領域を指定する（Ｓ１２）。第１色温度取得部７１は、第１指定領域内の色温度を、目標色温度として取得する。（Ｓ１３）。例えば、図７に示すように、屋内の風景を撮影した過去画像６９がＥＶＦＬＣＤ４２に表示され、テーブル上に置かれている白いカップに合わせて第１指定領域７８が指定される。この場合、第１色温度取得部７１により取得される目標色温度は、例えば、５０００Ｋ（ケルビン）である。
【００７６】
目標色温度記憶部７２は、第１色温度取得部７１により取得された目標色温度を記憶する（Ｓ１４）。上記のように第１色温度取得部７１が取得した第１指定領域７８の色温度が５０００Ｋであった場合には、目標色温度記憶部７２は、図８に示すように、５０００Ｋを目標色温度「Ｋ１」として記憶する。色温度と色との対応関係は同図に示す通りである。５０００Ｋはほぼ純粋な白色に対応し、色温度が高いほど青味が増し、色温度が低いほど赤味が増すという関係にある。
【００７７】
主制御部３２は、目標色温度情報設定モードの終了操作が行われると、目標色温度情報設定モードを終了させる（Ｓ１５でＹＥＳ）。一方、目標色温度情報設定モードの終了操作が行われない場合は（Ｓ１５でＮＯ）、主制御部３２により過去画像の選択及び表示（Ｓ１１）が実行されることにより、複数の目標色温度を目標色温度記憶部７２に記憶することができる。
【００７８】
例えば、図７に示す白いカップの他に、窓の外の青空に合わせて第１指定領域を指定することができる（Ｓ１２）。この場合、第１色温度取得部７１により取得される色温度は、例えば１５０００Ｋである。目標色温度記憶部７２は、第１色温度取得部７１により取得された１５０００Ｋを目標色温度「Ｋ２」として記憶する（図８参照）。これにより、目標色温度記憶部７２には、目標色温度「Ｋ１」の他に、目標色温度「Ｋ２」が記憶される。
【００７９】
ユーザは、目標色温度情報設定モードにより、過去に撮影した画像から、撮影により得たい撮影画像の理想の基準色を目標色温度として、撮影前に事前に登録することができる。
【００８０】
次に、色温度調整モードについて、図９〜図１１を参照しながら説明する。色温度調整モードに入ると、撮像素子３１により被写体の光学像が撮像され、この撮像により得られた画像データに対してデジタル信号処理部３５が各種処理を施すことにより、撮像画像が取得される（Ｓ２１）。
【００８１】
ユーザによる背面操作部１６の操作に基づき、第２領域指定部７７が光学像の表示エリア中に第２指定領域を指定すると、第２色温度取得部７３は、取得した撮像画像中の第２指定領域に対応する領域内の色温度を画像色温度として取得する（Ｓ２２）。例えば、図１０に示すように、屋内の風景を撮影する撮影シーンにおいて、背面操作部１６の操作に基づき、光学像６４の白いカップに合わせて第２指定領域７９が指定される。この場合、第２色温度取得部７３により取得される画像色温度は、例えば、４０００Ｋである。
【００８２】
主制御部３２は、色温度と色との対応関係を把握しており、この対応関係に基づいて、第２色温度取得部７３により取得された画像色温度に対応する色を求め、求めた色をＥＶＦＬＣＤ４２の画像色温度情報表示エリア６２に表示させる（Ｓ２３）。上記のように画像色温度が「４０００Ｋ」の場合には、画像色温度情報表示エリア６２には、やや黄色味がかった白色が表示される。
【００８３】
また、主制御部３２は、第２色温度取得部７３により取得された画像色温度に基づき、目標色温度記憶部７２から目標色温度を取得する（Ｓ２４）。例えば、図１１に示すように、目標色温度記憶部７２に２つの目標色温度Ｋ１，Ｋ２が記憶されている場合には、主制御部３２は、第２色温度取得部７３により取得された画像色温度Ｋａとの差が小さい目標色温度Ｋ１を選択して取得する。
【００８４】
主制御部３２は、取得した目標色温度Ｋ１に対応する色を求め、求めた色をＥＶＦＬＣＤ４２の目標色温度情報表示エリア６３に表示させる（Ｓ２５）。上記のように目標色温度Ｋ１が「５０００Ｋ」の場合には、目標色温度情報表示エリア６３には、ほぼ純粋な白色が表示される。
【００８５】
ユーザは、画像色温度情報表示エリア６２と目標色温度情報表示エリア６３とに表示された色を比較し、画像色温度情報表示エリア６２の表示色を、目標色温度情報表示エリア６３の表示色に近づけるようにコントロールリング１３ａを用いて色温度調整操作を行うことで、撮像画像の色温度を調整する。
【００８６】
主制御部３２は、ユーザによる色温度の調整操作量、すなわちコントロールリング１３ａの回転量を検出する（Ｓ２６）。色温度調整部７４は、主制御部３２から取得した回転量に対応する色温度のシフト量を求める。色温度調整部７４は、求めたシフト量を、デジタル信号処理部３５に出力して設定させる（Ｓ２７）。これにより、次の撮像周期においてステップＳ２２で取得される撮像画像に対して、デジタル信号処理部３５によりシフト量に応じた色温度調整が実行される。
【００８７】
ステップＳ２１〜Ｓ２７は、ユーザがレリーズボタン１４ｂを押下することによる撮影操作が実行される（Ｓ２８でＹＥＳ）までの間、繰り返し実行される。これにより、ユーザによる色温度の調整操作に連動して、画像色温度情報表示エリア６２の表示色が変更される。
【００８８】
ユーザは、画像色温度情報表示エリア６２の表示色と、目標色温度情報表示エリア６３の表示色とを比較しながら、両者の表示色がほぼ一致したときに撮影操作を実行する。この撮影操作が行われると（Ｓ２８でＹＥＳ）、撮影が実行され（Ｓ２９）、デジタル信号処理部３５を介して色温度の調整が行われた撮影画像が記録メディア４１に記録される。
【００８９】
以上のように構成されたデジタルカメラ１１の作用について説明する。デジタルカメラ１１は、ユーザにより電源ボタン１４ａが操作され、動作モードとして静止画撮影モードが選択されると、光学像の撮像を繰り返し行い、撮像画像を周期的に取得する。静止画撮影モードでは、ファインダのモードが選択可能となる。ファインダのモードがＯＶＦモードの一種である色温度調整モードに設定されると、ユーザは、コントロールリング１３ａにより撮像画像の色温度を調整することが可能となる。
【００９０】
色温度調整モードにおいて、ユーザにより光学像の表示エリア中に第２指定領域が指定されると、撮像画像中の第２指定領域に対応する画像色温度の色が画像色温度情報表示エリア６２に表示される。また、目標色温度情報表示エリア６３には、目標色温度情報設定モードで予め設定された目標色温度の色が表示される。
【００９１】
ユーザは、撮像画像の色を光学像中の色を目標として合わせようとすると、目標とする光学像中の色が実際の理想的な色から多少ずれていたとしても脳内で無意識のうちに色補正して理想的な色であると誤認識し、この色に撮像画像の色を合わせてしまう。しかし、本実施形態では、撮像画像の色を表す画像色温度の色が画像色温度情報表示エリア６２に表示され、これに隣接した目標色温度情報表示エリア６３に、目標色温度情報設定モードで予め設定された目標色温度の色が表示されるので、撮像画像の色を理想的な色に精度良く近づけることができる。
【００９２】
上記第１実施形態では、過去の撮影により取得された過去画像中に第１指定領域を指定して目標色温度情報を取得しているが、目標色温度を取得する対象画像は、デジタルカメラ１１で過去に撮影された過去画像に限られない。例えば、インターネット上のデータベースなどに存在する画像を、記録メディア４１内に取り込む、および／または、有線または無線の通信部（図示せず）を介してデジタルカメラ１１内に取り込むことにより、この取り込んだ画像を対象画像としても良い。
【００９３】
また、対象画像は、レリーズボタン１４ｂが押下される前に得られる撮像画像であっても良い。この場合には、ＥＶＦモード又はＨＶＦモードにおいて、撮像画像をライブビュー画像として表示させて、ライブビュー画像中に指定された第１指定領域から目標色温度情報を取得する。
【００９４】
［第２実施形態］
第２実施形態として、過去画像に代えて、色温度の異なる色が配列されたカラーチャートを対象画像として、目標色温度を取得する例を説明する。本実施形態では、画像記憶部としてのメモリ４０に、図１２に示すカラーチャート８１が予め記憶されている。カラーチャート８１には、色温度の異なる色が色温度に応じて順に配列されている。
【００９５】
色温度情報設定モードにおいて、主制御部３２は、カラーチャート８１をＥＶＦＬＣＤ４２に表示させる。本実施形態では、カラーチャート８１の全領域のうち、一部の範囲のみを表示させる。図１２には、３０００Ｋ〜７０００Ｋの範囲のみが表示されている。カラーチャート８１の表示範囲は、背面操作部１６の操作に基づいて変更可能である。
【００９６】
カラーチャート８１の上側に隣接して指標８３が表示されている。指標８３が指し示す線状の領域８４が、第１実施形態の第１指定領域に対応する。このように、第１指定領域は、カラーチャート８１に対して識別可能に表示されている。ユーザは、背面操作部１６を操作して、カラーチャート８１の表示範囲を変更することで、第１指定領域を変更することができる。ユーザは、背面操作部１６を操作し、所望とする第１指定領域をカラーチャート８１中に指定して決定することで、第１色温度取得部７１により、第１指定領域の色温度が目標色温度として取得される。
【００９７】
また、上記各実施形態では、色温度情報設定モードにおいて、ユーザが第１指定領域の選択操作を行うことにより、目標色温度を目標色温度記憶部７２に登録可能としているが、予め所定の目標色温度が目標色温度記憶部７２に設定（プリセット）されていても良い。さらに、目標色温度記憶部７２に登録されている目標色温度の削除や変更などの編集操作を、ユーザが行えるようにしても良い。また、目標色温度の設定操作を、各種撮影シーン毎に実行可能とすることも好ましい。
【００９８】
［第３実施形態］
上記第１実施形態では、ユーザによる背面操作部１６の操作に基づき、過去画像中に第１指定領域の指定が行われているが、第１指定領域の指定を自動化することも可能である。第３実施形態では、ユーザが目標とする色に応じて、過去画像中から自動で第１指定領域の指定を行う。
【００９９】
主制御部３２は、例えば、白色、赤色、青色など複数の色からいずれかを選択させる選択画面をＥＶＦＬＣＤ４２に表示させる。ユーザは、背面操作部１６の操作により、目標とする色を設定することができる。
【０１００】
第１領域指定部７６は、主制御部３２により設定された色に類似する領域を、過去画像６９中から抽出し、抽出した領域を第１指定領域とする。例えば、白色が目標として設定されている場合、第１領域指定部７６は、過去画像６９のうち、白色に近い画素値を含む画素を抽出する。第１領域指定部７６は、抽出した画素が密集している領域を第１指定領域とする。
【０１０１】
例えば、図１３に示すように、屋内の風景を撮影した過去画像６９では、第１領域指定部７６は、白いカップに対応する領域を抽出し、抽出した領域を第１指定領域８５とする。第１色温度取得部７１は、第１指定領域８５の平均色の色温度を目標色温度として取得する。
【０１０２】
主制御部３２は、第１領域指定部７６により抽出された領域を点滅表示などで強調表示することにより、どの領域が第１指定領域として指定されたかをユーザに認識させる。
【０１０３】
第１領域指定部７６は、主制御部３２により設定された色に類似する領域が、複数離散して存在する場合には、そのうちの最も面積が大きい領域を第１指定領域とする。また、主制御部３２により設定された色に類似する領域が、複数離散して存在する場合に、いずれの領域を第１指定領域とするかを、ユーザにより選択可能としてもよい。
【０１０４】
また、第２指定領域の指定も同様に自動化することが可能である。この場合、第２領域指定部７７は、目標色温度に対応する色に類似する色の領域を、撮像画像中から抽出し、抽出した領域に基づき、光学像中に第２指定領域を指定する。
【０１０５】
例えば、図１４に示すように、２つの白いカップを撮影する撮影シーンにおいて、目標色温度に対応する色が白色であった場合、第２領域指定部７７は、光学像６４を撮像して得た撮像画像から白色に近い画素値を含む画素を抽出する。第２領域指定部７７は、抽出した領域に対応する光学像６４の領域を第２指定領域８６として指定する。第２色温度取得部７３は、第２指定領域８６の平均色の色温度を画像色温度として取得する。
【０１０６】
主制御部３２は、第２領域指定部７７により抽出された領域を点滅表示などで強調表示することにより、どの領域が第２指定領域として指定されたかをユーザに認識させる。
【０１０７】
第２領域指定部７７は、目標色温度に対応する色に近い色の領域が、複数離散して存在する場合に、そのうちの最も面積が大きい領域を第２指定領域としても良い。また、目標色温度に対応する色に近い色の領域が、複数離散して存在する場合に、いずれの領域を第２指定領域とするかを、ユーザにより選択可能としてもよい。
【０１０８】
［第４実施形態］
上記第１〜第３実施形態では、目標色温度情報及び画像色温度情報を、各色温度の色により表示しているが、これに限られず、各色温度を表す数値などで表示しても良い。第４実施形態では、図１５に示すように、目標色温度情報及び画像色温度情報を、色温度スケール８７に対する第１の指標８８及び第２の指標８９の位置により表す。同図では、第１の指標８８及び第２の指標８９を識別可能とするために、第１の指標８８に近接して「Ｔ」の記号を表示し、第２の指標８９に近接して「Ｐ」の記号を表示している。本実施形態では、色温度スケール８７は、４５００Ｋ以上５５００Ｋ以下の領域を示している。
【０１０９】
第１の指標８８は、第１色温度取得部７１により取得される目標色温度に対応する位置に表示される。第２の指標８９は、第２色温度取得部７３により取得される画像色温度に対応する位置に表示される。第４実施形態のその他の構成は、第１〜第３実施形態のいずれかと同一である。
【０１１０】
さらに、目標色温度と画像色温度の差を明確に示すために、主制御部３２により目標色温度と画像色温度との色温度差を算出し、図１６に示すように、目標色温度情報と画像色温度情報に加え、色温度差を表す色温度差情報９０を表示させても良い。この場合、主制御部３２は、色温度差算出部として機能する。
【０１１１】
本実施形態では、色温度スケール８７として、色温度の数値を表示しているが、これに代えて、異なる色温度の色が配列されたカラーチャートを表示しても良い。
【０１１２】
なお、上記各実施形態では、色温度調整モード時に、光学像に画像色温度情報と目標色温度情報とを重畳表示させているが、図１７に示すように、光学像６４の周囲に画像色温度情報６６と目標色温度情報６７を近接して表示させても良い。この他、図１８に示すように、画像色温度情報６６及び目標色温度情報６７を光学像６４に一部重畳させることも可能である。
【０１１３】
上記各実施形態では、図９に示すように、画像色温度を取得して表示するステップＳ２２及びステップＳ２３を１撮像周期ごとに行っているが、これに限られず、２以上の特定の撮像周期ごとに行っても良い。また、目標色温度を取得して表示するステップＳ２４及びステップＳ２５を１撮像周期ごとに行っているが、これに限られず、２以上の特定の撮像周期ごとに行っても良い。
【０１１４】
図９に示すように、色温度調整モードにおいて、画像色温度が取得されるたびに、その画像色温度に近い目標色温度を目標色温度記憶部７２から取得するステップＳ２４を実行しているが、このステップＳ２４を、色温度調整モード中に実行しないように構成しても良い。すなわち、色温度調整モードで用いられる目標色温度を、色温度調整モードに入る前に、ユーザにより選択可能としても良い。
【０１１５】
上記各実施形態では、図９に示すように、色温度調整操作に基づく色温度のシフト量の設定処理を行うステップＳ２６及びステップＳ２７を１撮像周期ごとに行っているが、これに限られず、２以上の特定の撮像周期ごとに行っても良い。
【０１１６】
上記各実施形態では、第２色温度取得部７３は、デジタル信号処理部３５が生成したＹＣ画像データから画像色温度を取得しているが、ＹＣ変換処理前のＲＧＢ形式の画像データから画像色温度を取得しても良い。
【０１１７】
上記各実施形態では、ユーザによる手動の色温度調整のみを可能としているが、デジタル信号処理部３５にオートホワイトバランス（ＡＷＢ）調整処理機能を設けても良い。この場合、ＡＷＢ調整処理後の画像データに対して、手動の色温度調整が行われる。ＡＷＢ調整処理では撮影シーンによっては光源の種類が誤検出される場合があるが、そのような場合でも、ユーザにより色温度を精度良く調整することができる。
【０１１８】
上記各実施形態では、デジタル信号処理部３５は、撮像素子３１とは別に設けられているが、撮像素子３１内に組み込むことも可能である。
【符号の説明】
【０１１９】
１１  デジタルカメラ
１７  ファインダ装置（ファインダ部）
３１  撮像素子
３９  ＥＶＦ表示制御部（表示制御部）
４２  ＥＶＦＬＣＤ（ファインダ内情報表示部）
７１  第１色温度取得部
７３  第２色温度取得部
７４  色温度調整部
７６  第１領域指定部
７７  第２領域指定部
【図１】
2017086299.tif 000003
【図２】
2017086299.tif 000004
【図３】
2017086299.tif 000005
【図４】
2017086299.tif 000006
【図５】
2017086299.tif 000007
【図６】
2017086299.tif 000008
【図７】
2017086299.tif 000009
【図８】
2017086299.tif 000010
【図９】
2017086299.tif 000011
【図１０】
2017086299.tif 000012
【図１１】
2017086299.tif 000013
【図１２】
2017086299.tif 000014
【図１３】
2017086299.tif 000015
【図１４】
2017086299.tif 000016
【図１５】
2017086299.tif 000017
【図１６】
2017086299.tif 000018
【図１７】
2017086299.tif 000019
【図１８】
2017086299.tif 000020
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
撮影レンズを介して入射する光学像に基づき画像を生成する撮像素子と、
前記光学像を観察可能に構成されたファインダ部と、
前記ファインダ部内において、前記光学像に情報を重畳又は近接させて観察可能に表示させるファインダ内情報表示部と、
色温度の調整操作に基づき、前記画像の色温度を調整する色温度調整部と、
前記ファインダ内情報表示部を制御して、前記情報として、前記色温度の調整の目標とする色温度を表す目標色温度情報と、前記画像の色温度を表す画像色温度情報とを表示させる表示制御部と、を備え、
前記表示制御部は、前記ファインダ内情報表示部を制御して、第１エリアと第２エリアとを互いに隣接して設定し、前記画像色温度情報によって表される色温度の色を前記第１エリアに表示させ、前記目標色温度情報によって表される色温度の色を前記第２エリアに表示させる撮影装置。
【請求項２】
前記表示制御部は、前記色温度の調整操作が行われた場合に、前記色温度調整部により色温度が調整された後の前記画像の前記画像色温度情報を表示させる請求項１に記載の撮影装置。
【請求項３】
画像記憶部と、
前記画像記憶部に記憶されている記憶画像中に第１指定領域を指定する第１領域指定部と、
前記第１領域指定部により指定された前記第１指定領域の色温度を取得する第１色温度取得部と、
を備え、
前記目標色温度情報は、前記第１色温度取得部により取得された前記第１指定領域の色温度を表す請求項２に記載の撮影装置。
【請求項４】
前記記憶画像は、撮影により得られた画像である請求項３に記載の撮影装置。
【請求項５】
前記記憶画像は、異なる色温度の色が配列されたカラーチャートである請求項３に記載の撮影装置。
【請求項６】
前記第１指定領域は、前記カラーチャートに対して識別可能に表示される請求項５に記載の撮影装置。
【請求項７】
前記第１色温度取得部は、前記第１指定領域内の平均色を求め、求めた平均色に基づいて色温度を算出する請求項４から６のいずれか１項に記載の撮影装置。
【請求項８】
前記ファインダ部内で観察される前記光学像中に第２指定領域を指定する第２領域指定部と、
前記第２領域指定部により指定された前記第２指定領域に対応する前記画像の色温度を取得する第２色温度取得部と、
を備え、
前記画像色温度情報は、前記第２指定領域に対応する前記画像の色温度を表す請求項３から７のいずれか１項に記載の撮影装置。
【請求項９】
前記第２色温度取得部は、前記第２指定領域内の平均色を求め、求めた平均色に基づいて色温度を算出する請求項８に記載の撮影装置。
【請求項１０】
前記第１指定領域の色温度と前記第２指定領域の色温度との色温度差を算出する色温度差算出部を備え、
前記表示制御部は、前記情報として、前記目標色温度情報と前記画像色温度情報に加え、前記色温度差を表す色温度差情報を表示させる請求項８または９に記載の撮影装置。
【請求項１１】
前記ファインダ部内において、前記光学像を部分的に遮光可能とする遮光部を有し、
前記ファインダ内情報表示部は、前記情報を、前記遮光部により部分的に遮光された部分に前記第１エリア及び前記第２エリアを設定する請求項１に記載の撮影装置。
【請求項１２】
撮影レンズを介して入射する光学像に基づき画像を生成する撮像素子と、
前記光学像を観察可能に構成されたファインダ部と、
前記ファインダ部内において、前記光学像に情報を重畳又は近接させて観察可能に表示させるファインダ内情報表示部と、
色温度の調整操作に基づき、前記画像の色温度を調整する色温度調整部と、
を備える撮影装置の制御方法において、
表示制御部は、前記ファインダ内情報表示部を制御して、前記情報として、前記色温度の調整の目標とする色温度を表す目標色温度情報と、前記画像の色温度を表す画像色温度情報とを表示させ、且つ、第１エリアと第２エリアとを互いに隣接して設定し、前記画像色温度情報によって表される色温度の色を前記第１エリアに表示させ、前記目標色温度情報によって表される色温度の色を前記第２エリアに表示させる撮影装置の制御方法。
【手続補正２】
【補正対象書類名】明細書
【補正対象項目名】００１０
【補正方法】変更
【補正の内容】
【００１０】
上記目的を達成するため、本発明の撮影装置は、撮像素子と、ファインダ部と、ファインダ内情報表示部と、色温度調整部と、目標色温度情報と、表示制御部と、を備える。撮像素子は、撮影レンズを介して入射する光学像に基づき画像を生成する。ファインダ部は、光学像を観察可能に構成されている。ファインダ内情報表示部は、ファインダ部内において、光学像に情報を重畳又は近接させて観察可能に表示させる。色温度調整部は、色温度の調整操作に基づき、画像の色温度を調整する。表示制御部は、ファインダ内情報表示部を制御して、情報として、色温度の調整の目標とする色温度を表す目標色温度情報と、画像の色温度を表す画像色温度情報とを表示させる。表示制御部は、前記ファインダ内情報表示部を制御して、第１エリアと第２エリアとを互いに隣接して設定し、画像色温度情報によって表される色温度の色を前記第１エリアに表示させ、目標色温度情報によって表される色温度の色を前記第２エリアに表示させる。
【手続補正３】
【補正対象書類名】明細書
【補正対象項目名】００２２
【補正方法】変更
【補正の内容】
【００２２】
本発明の撮影装置の制御方法は、撮影レンズを介して入射する光学像に基づき画像を生成する撮像素子と、光学像を観察可能に構成されたファインダ部と、ファインダ部内において、光学像に情報を重畳又は近接させて観察可能に表示させるファインダ内情報表示部と、色温度の調整操作に基づき、画像の色温度を調整する色温度調整部と、を備える撮影装置の制御方法において、表示制御部は、ファインダ内情報表示部を制御して、情報として、色温度の調整の目標とする色温度を表す目標色温度情報と、画像の色温度を表す画像色温度情報とを表示させ、且つ、第１エリアと第２エリアとを互いに隣接して設定し、画像色温度情報によって表される色温度の色を前記第１エリアに表示させ、目標色温度情報によって表される色温度の色を第２エリアに表示させる。
【国際調査報告】
2017086299.tif 000021
2017086299.tif 000022